(57)【要約】      （修正有）【課題】給水栓が洗濯機等の邪魔になることもなく、室内空間を有効に使用できるほか、防水パン外への水の飛散や漏水のおそれもなく安全に使用でき、洗濯などの処理作業に必要な給水での給水栓の開閉操作や取扱い作業も簡単化し、しかも必要な水回りの配管作業の工事施工も容易化し、床面下での配管工事で済ませて施工経費も安価にし、作業管理維持も簡便で洗濯効率のアップを図る。【解決手段】排水を外部に溢れることなく受けて排出できる排水トラップ２を備えた防水パン１と、排水ホース３とを納めるボックス状の筐体４に扉５を開閉自在に設けた防水パンユニットにおいて、排水トラップ２を備えた防水パン１を筐体４の底板４２に設け、筐体４に隣設される機器Ａに給水ホース７で接続される給水栓６を筐体４の一部で、隣設される機器Ａとの隣接面に接しない筐体壁面に配備して、給水栓６に接続される給水ホース７を筐体３内に納めた防水パンユニットとした。【選択図】図１
2005171630.tif 000002
【特許請求の範囲】
【請求項１】
排水を外部に溢れることなく受けて排出できる床板の周囲に防水側壁を立設し、床板に形成した排水口に排水トラップを備えた防水パンと、該排水設備に連結される排水ホースとを納める筐体が、上下に対向する天板と底板と、この間に周側板を有するボックス状の筐体で構成され、該筐体に扉を開閉自在に設けた防水パンユニットにおいて、前記排水ホースが接続され、かつ床面下に配設される排水管に連結され、排水の一部を貯溜して臭気の逆流を阻止する貯留部を有する排水トラップを備えた防水パンを前記筐体の底板に設け、該筐体に給水操作ができる給水栓を有する給水設備を設けると共に、筐体に隣設される機器に給水ホースを介して接続される前記給水栓を前記筐体の一部で、筐体に隣設される機器との隣接面に接しない筐体壁面に配備して、給水栓に接続される給水ホースを筐体内に納めたことを特徴とする防水パンユニット。
【請求項２】
請求項１記載の防水パンユニットにおいて、前記筐体の上部後方位置に前記給水栓を備える給水操作部が設けられ、該給水操作部の外側面或いは前側面に前記給水栓の操作ハンドルを露出配備したことを特徴とする防水パンユニット。
【請求項３】
請求項１または請求項２記載の防水パンユニットにおいて、前記筐体の天板と筐体本体との間に給水栓の給水操作ができる空間領域を形成し、該空間領域で筐体の外面に前記給水栓の操作ハンドルを露出配備したことを特徴とする防水パンユニット。
【請求項４】
請求項１、請求項２または請求項３記載の防水パンユニットにおいて、前記給水栓を備える給水操作部に電源接続用コンセントを並設したことを特徴とする防水パンユニット。
【請求項５】
請求項３または請求項４記載の防水パンユニットにおいて、前記防水パン上面部を覆うカバー体を防水パンに取り外し可能に設け、該カバー体に排水ホースの接続部を挿入する開孔を底部に有し、該開孔を下端面とする傾斜面からなる窪み凹部を形成して、該窪み凹部に排水ホースを挿入誘導することを特徴とする防水パンユニット。
【請求項６】
請求項４または請求項５記載の防水パンユニットにおいて、前記排水用トラップが、目皿のあるホースジョイントと、該ホースジョイントを排水口に嵌合する取付け部と、ホースジョイントに接続されるガイドパイプの外周に間隔を開けて設けられる排水筒と、オーバーフロー孔を形成した排水カップとからなり、該排水カップをトラップハウジングに内装したことを特徴とする防水パンユニット。
【請求項７】
請求項４、請求項５または請求項６記載の防水パンユニットにおいて、前記筐体内に複数段間隔を置いて棚受部或いはスライドレールを設け、該棚受部或いはスライドレールに棚板或いは引出しを取外自在に載置配備したことを特徴とする防水パンユニット。
【発明の詳細な説明】
【技術分野】
【０００１】
本発明は、アパートやマンションなどの集合住宅、その他の住宅内の洗い場、流し場、浴場、台所、或いはバルコニー、その他の床面上などに載置定着されて用いられる洗濯機或いは食器洗浄機、洗面化粧台などに用いられる防水パンユニットに関するものである。
【背景技術】
【０００２】
従来の流し場などの汚水その他の水を取り扱う場所では、床面に防水のためにタイル張りその他の防水性加工、施工を行われるが、これら施工は煩雑で、施工時間もかかるしコスト高ともなるので、排水トラップを備えたトレイ状の防水パンを洗濯機用防水パンとして用いることが知られている。
【０００３】
特許文献１の洗濯機用防水パンでは、平坦面を有する床板の周囲に立ち上がる防水側壁を設けてトレー状の防水パンにすると共に、前記床板に少なくとも排水口に排水トラップを備えた洗濯機用防水パンとした製品が多用されれているが、これら製品は、溢水、漏水や散水の受け皿として、特に水はけ乃至排水の機能を考慮したものである。（特許文献１参照）
【特許文献１】実用新案登録第２５９４７６６号公報
【発明の開示】
【発明が解決しようとする課題】
【０００４】
一般に、洗濯機用防水パンは、平坦盤状の製品で床面に施工工事の際に、床面下にある排水設備の上に床面に取付け固定すればよい形態の防水パンの構成となっていて、水まわりでの洗濯機等への給水や給湯は、家屋壁内に配管された設備や、別途壁からの立ち上げ配管に設けた給水栓などの給水設備或いは給湯設備から行っていて、壁面から出っ張っている給水栓が洗濯機等の邪魔になったり、洗濯機などの処理設備機器類を壁面より離して設置しなければならなく室内空間を無駄にしたり、作業中に排水用ホースの抜けによる水害事故にも対処できないほか、洗濯処理などの給水作業での給水栓の開閉作業の操作上の面倒もあるなど問題があった。
特に、この防水パンでは、洗濯機の排水ホースを排水トラップに、また給水ホースを洗濯機給水口に接続連結するため、床面上に排水ホース、排水トラップや給水ホース、給水栓が露出していて目障りで見映が悪く、溢水や漏水が生じると洗濯機の周りを汚すこととなって、汚らしく衛生上も体裁上でも良くなく、ひんぱんに周囲を清掃しなくてはならなくなるし、しかも洗濯作業に際して付帯して使用したり、取り扱い上に用いられる洗剤、清掃用具など用品類や洗濯物などの置場が十分確保できないので、その整理や管理に防水パン上を用いると汚らしく不体裁で、不快感を与えるほか、見た目にも環境上にも悪くなるし、別に用品類を置いたり始末したりすると取扱いも不便で、整理も儘ならなくなってしまうなどの欠点があった。      
【０００５】
本発明は、これらの諸問題に鑑みてなされたもので、防水パンに給水、排水設備を備えて、給排水管をすっきり納め取扱い上の便宜さを考慮した形態としたもので、給水栓が洗濯機等の邪魔になることもなく、洗濯機を壁面より離して設置しなければならないこともなく室内空間を有効に使用できるほか、防水パン外への水の飛散や漏水のおそれもなく安全に使用でき水漏れ事故になることもないし、洗濯などの処理作業に必要な給水や給電での給水栓の開閉操作や取扱い作業も簡単であり、しかも必要な水回りの配管作業の工事施工も容易であると共に、床面下での配管工事で済むため施工経費も安価ですむし、作業管理維持も容易で洗濯効率のアップも図られる洗濯機用防水パンなどの防水パンを体裁良好で、安価な形態で提供することを目的としたものである。
また、本発明では、洗濯作業、洗面上などでの取扱いやその周囲の環境を綺麗にし整理整頓が容易で、流し場などの汚水その他の水を扱う場所の施工作業も簡便化し、体裁良好で洗濯機の排水は周囲に溢れることなく処理できるし、排水側からの臭気の逆流も確実に抑制でき、住宅内の流し場などの機器類周囲の環境を汚すことなく見映えのよい環境作りができると共に、防水パンの安全な維持管理も容易にできるし、施工のバリエーションも増えて、水回りをもスッキリさせてスマートなリホーミングにも適した防水パンユニットとすることにある。
【課題を解決するための手段】
【０００６】
本発明においては、上記目的を達成するため、排水を外部に溢れることなく受けて排出できる床板の周囲に防水側壁を立設し、床板に形成した排水口に排水トラップを備えた防水パンと、該排水設備に連結される排水ホースとを納める筐体が、上下に対向する天板と底板と、この間に周側板を有するボックス状の筐体で構成され、該筐体に扉を開閉自在に設けた防水パンユニットであって、前記排水ホースが接続され、かつ床面下に配設される排水管に連結され、排水の一部を貯溜して臭気の逆流を阻止する貯留部を有する排水トラップを備えた防水パンを前記筐体の底板に設け、該筐体に給水操作ができる給水栓を有する給水設備を設けると共に、筐体に隣設される機器に給水ホースを介して接続される前記給水栓を前記筐体の一部で、筐体に隣設される機器との隣接面に接しない筐体壁面に配備して、給水栓に接続される給水ホースを筐体内に納めたことを特徴とする。
【０００７】
この場合、前記筐体の上部後方位置に前記給水栓を備える給水操作部が設けられ、該給水操作部の外側面或いは前側面に前記給水栓の操作ハンドルを露出配備するのがよいが、前記筐体のカウンタとなる天板と筐体本体との間に給水栓の給水操作ができる空間領域を形成し、該空間領域で筐体の外面に前記給水栓の操作ハンドルを露出配備したスマートな形態とするのがよい。
また、この実施例での防水パンユニットとしては、前記給水栓を備える給水操作部に電源接続用コンセントを並設して室内の電気製品等の電源に利用することが配慮されている。
【０００８】
そして、前記防水パンとしては、前記防水パン上面部を覆うカバー体を防水パンに取り外し可能に設け、該カバー体に排水ホースの接続部を挿入する開孔を底部に有し、該開孔を下端面とする傾斜面からなる窪み凹部を形成して、該窪み凹部に排水ホースを挿入誘導することで、埃りやゴミが溜まりにくく掃除も簡単で施工のバリエーションが増えて室内設置に最適となる。
【０００９】
なお、前記排水用トラップとしては、目皿のあるホースジョイントと、該ホースジョイントを排水口に嵌合する取付け部と、ホースジョイントに接続されるガイドパイプの外周に間隔を開けて設けられる排水筒と、オーバーフロー孔を形成した排水カップとからなり、該排水カップをトラップハウジングに内装した形態のものを用いるのが、洗濯兼乾燥の洗濯機の水回りに適している。
さらに、防水パンユニットとしては、前記筐体内に複数段間隔を置いて棚受部或いはスライドレールを設け、該棚受部或いはスライドレールに棚板或いは引出しを取外自在に載置配備したことで、洗濯作業に際して付帯して使用したり、取り扱ったりする洗剤や清掃用具のほか洗濯物などの用品類を置いたり、始末したりして整理、管理が容易で始末住宅内の流し場などの場所を汚すことなく見映えのよい環境作りに寄与できる。
【発明の効果】
【００１０】
上記構成を有する本発明によれば、床面に載置される防水パンユニットは、排水ホースが接続され、かつ床面下に配設される排水管に連結され、排水の一部を貯溜して臭気の逆流を阻止する貯留部を有する排水トラップを備えた防水パンを前記筐体の底板に設け、該筐体に給水操作ができる給水栓を有する給水設備を設けると共に、筐体に隣設される機器に給水ホースを介して接続される前記給水栓を前記筐体の一部で、筐体に隣設される機器との隣接面に接しない筐体壁面に配備して、給水栓に接続される給水ホースを筐体内に納めたことで、防水パンを床面上に設置する際に、給水設備と排水設備とに結合されて給水、排水設備を備え取扱い上の便宜さ向上し、給水栓が洗濯機等の邪魔になることもなく、洗濯機を壁面より離して設置しなければならないこともなく室内空間を有効に使用できるほか、防水パン外への水の飛散や漏水のおそれもなく安全に使用でき水漏れ事故になることないし、洗濯などの給水作業での給水栓の開閉作業の操作も簡単であり、しかも必要な水回りの配管作業の工事施工も容易であると共に、床面下での配管工事で済むため施工経費も安価ですむし、作業管理維持も容易で洗濯効率のアップも図られる。
【００１１】
また、本発明の防水パンユニットは、洗濯作業、洗面上などでの取扱いやその周囲の環境を綺麗にし整理整頓が容易で、流し場などの汚水その他の水を扱う場所の施工作業も簡便化し、体裁良好で洗濯機の排水は周囲に溢れることなく処理できるし、排水側からの臭気の逆流も確実に抑制でき、住宅内の流し場などの機器類周囲の環境を汚すことなく見映えのよい環境作りができると共に、防水パンの安全な維持管理も容易にできるし、施工のバリエーションも増えて、水回りをもスッキリさせてスマートなリホーミングにも適したものとすることができる。
【００１２】
さらに本発明は、前記筐体の上部後方位置に前記給水栓を備える給水操作部が設けられ、該給水操作部の外側面或いは前側面に前記給水栓の操作ハンドルを露出配備してあるので、給水栓が洗濯機等の邪魔になることもなく見た目もスッキリとして体裁良好であり、また前記給水栓を備える給水操作部に電源接続用コンセントを並設して洗濯などの処理作業に必要な給水や給電での給水栓の開閉操作や電源操作の取扱い作業も簡単であり、しかも室内の電気製品等の電源に利用することができるようになっているので、洗い場などの室内における多様性に適し、防水パンユニットを有効に使用することができるし、作業者によるバラツキのない均一な作業内容で取付け配管工事を行うことができるので、信頼性をも高めることもでき、工事の工数を小さくすることができる。
【００１３】
本発明の防水パンユニットでは、防水パン上面部を覆うカバー体を前記防水パンに取り外し可能に設け、該カバー体に排水ホースの接続部を挿入する開孔を底部に有し、該開孔を下端面とする傾斜面からなる窪み凹部を形成して、該窪み凹部に排水ホースを挿入誘導することで、埃りやゴミが溜まりにくく掃除も簡単で、床面への設置も簡便に行えるので、施工のバリエーションが増えて室内設置に最適となるし、施工工事も容易で保守点検の簡易化を図ることができる。  
【００１４】
さらにまた、本発明は、前記排水用トラップが目皿のあるホースジョイントと、該ホースジョイントを排水口に嵌合する取付け部と、ホースジョイントに接続されるガイドパイプの外周に間隔を開けて設けられる排水筒と、オーバーフロー孔を形成した排水カップとからなり、該排水カップをトラップハウジングに内装した形態としたことで、排水流路の確保も充分とれて排水筒内への排水もスムーズで、水密状態をも確実に保って排水できて漏水防止に寄与すると共に、臭気防止が的確で排水トラップ機能を十分に発揮できるほか、洗い場などの床面出の場所をとらずコンパクトで体裁良好であり、点検時に洗濯機を移動したり取り外したりすることなく取り扱え洗濯兼乾燥の洗濯機の水回りに適している。
【００１５】
さらに、本発明の防水パンユニットとしては、前記筐体内に複数段間隔を置いて棚受部或いはスライドレールを設け、該棚受部或いはスライドレールに棚板或いは引出しを取外自在に載置配備したことで、洗濯作業などの水取扱い作業に際して付帯して使用したり、取り扱ったりする洗剤や清掃用具のほか洗濯物などの用品類を置いたり、始末したりして整理、管理が著しく容易で、住宅内の作業場、流し場などの場所を汚すことなく見映えのよい環境作りに寄与できるとし、漏水事故、排水異常など床面下での配管状況を筐体内で検査することができるので、洗濯機をはずしたり、移動したりすることなくその儘の状態で容易に確認、点検、修理することができ排水設備の清掃および補修も容易に行なうことができ、その維持管理を著しく簡便化できるなどの効果がある。
【発明を実施するための最良の形態】
【００１６】
以下、本発明の一実施例を図面を参照して説明する。
本実施例における防水パンユニットでは、排水を外部に溢れることなく受けて排出できる床板１１  の周囲に防水側壁１２  を立設し、床板１１  に形成した排水口１３  に排水トラップ２を備えた防水パン１と、該防水パン１に付設される排水設備に連結される排水ホース３とを納める筐体４が、上下に対向する天板４１  と底板４２  と、この間に周側板４３  を有するボックス状の筐体４で構成され、該筐体４に扉５をヒンジ５１  を介して開閉自在に設けた防水パンユニットにおいて、前記排水ホース３が接続され、かつ床面下に配設される排水管Ｂに連結され、排水の一部を貯溜して臭気の逆流を阻止する貯留部２１  を有する排水トラップ２を備えた防水パン１を前記筐体４の底板４２  に設け、該筐体４に給水操作ができる給水栓６を有する給水設備を設けると共に、筐体４に隣設される機器Ａに給水ホース７を介して接続される前記給水栓６を前記筐４の一部で、筐体４に隣設される機器Ａとの隣接面に接しない筐体壁面に配備して、給水栓６に接続される給水ホース７を筐体３内に納めた防水パンユニットとして給水設備と排水設備とに結合されて給水、排水設備を備え取扱い上の便宜さを考慮した形態としたもので、給水栓が洗濯機等の邪魔になることもなく用いられる。
【００１７】
前記給水設備としては、前記筐体４の上部後方位置に前記給水栓６を備える給水操作部８が設けられ、該給水操作部８の外側面或いは前面に前記給水栓６の操作ハンドル６１  を露出配備するがよい。この場合、洗濯機等の機器Ａが隣接される側面に操作ハンドル６１  を露出すると隙間を開けて筐体４を設置しなければならないので、機器類に接しない面に露出配備することが配慮されるが、前記筐体４の天板４１  と筐体本体との間に、給水栓６の給水操作ができる空間領域８１  を形成し、該空間領域８１  で筐体４の外面に前記給水栓６の操作ハンドル６１  を露出配備することで、前記天板４１  をフロントとして活用するスマートな形態とするのがよい。（図２）
また、前記空間領域８１  の部分には天板４１  をなくした形態、例えば筐体本体の上位角部の一部を切欠した形態として、上方から前記給水栓６の操作ハンドル６１  が操作できる給水操作部８が設けられるようにすることもできる。
さらに、この防水パンユニットとしては、前記給水栓６を備える給水操作部８に電源接続用コンセント９を並設して室内の電気製品等の電源に利用することができるようにして洗い場などの室内における多様性に対応できるようにするのがよい。
【００１８】
なお、実施例で用いられる防水パン１には、上面部を覆うカバー体１０を防水パン１に取り外し可能に設け、該カバー体１０に前記排水ホース３の接続部を挿入する開孔１１を底部に有し、該開孔１１を下端面とする傾斜面からなる窪み凹部１２を形成して、該窪み凹部１２に排水ホース３を挿入誘導して保持して用いられ、埃りやゴミが溜まりにくく掃除も簡単で床面への設置も簡便に行えるので、施施工のバリエーションが増えて室内設置に最適となる。
【００１９】
また、この防水パンユニットにおいて用いられる前記排水用トラップ２としては、目皿１３のあるホースジョイント１４と、該ホースジョイント１４を排水口１３  に嵌合する取付部材１６と、ホースジョイント１４に接続されるガイドパイプ１７の外周に間隔を開けて設けられる封水筒１８と、オーバーフロー孔１９を形成した封水カップ２０とからなり、該封水カップ２０をトラップハウジング２１に内装して、排水流路の確保が充分とれて排水筒内への排水がスムーズで、水密状態をも確実に保って排水できて臭気防止が的確なものを用いるのがよく、前記目皿１３を防水パン１から外せば配管などの清掃並びに補修を簡単に行うことができる。（図３及び図４）
【００２０】
なお、ボックス状の前記筐体４には、その内側に複数段間隔を置いて取外自在のピン若しくはネジ部の棚受部２２或いはスライドレールを設け、該棚受部２２或いはスライドレールに平板、格子、ネット状プレートの棚板２３或いは引出しを取外自在に載置配備して、洗剤や清掃用具のほか洗濯物などの用品類を置いたり、始末したりして整理、管理が容易に出来るようにするのがよい。
また前記筐体４に用いられる前記扉５は、シングルタイプにするか、上下或いは左右に分けたダブルタイプにするかは任意に選べ、その形態に対応して棚板或いは引出しを付設する。前記給水栓６には、給水源からフレキシブル管或いは給水ホースその他の給水管によって接続されて洗濯機などの機器Ａに給水できるようにするのが好ましい。
【００２１】
前記防水パンユニットは、図１乃至図４に示すごとく、洗濯機の機器Ａに隣接して筐体４を床面に設置して、筐体４内の給水設備並びに排水設備にそれぞれ接続配管すれば、防水パン１に形成した排水口１３  に排水トラップ２を介して排水配管Ｂに結合される洗濯機の機器Ａ用の防水パンとすることができる構成としてある。
この実施例の洗濯機用防水パンでは、床板１の上に設置された洗濯用の機器Ａ例えば、洗濯機の給水部を、ホース等の接続管によって前記給水栓６にある給水蛇口に連結し、また洗濯機の排水ホースを前記排水口１３  にある排水トラップ２のホースジョイント１４に接続すれば、機器Ａを洗濯作業ができる状態に簡単にセットすることができる。
そして、前記排水口と給水口とが、排水設備のある防水パン１を備えた筐体４にまとめて一括して形成されているので、設置されいてる機器Ａを外したり、取り除いたりせずに配管作業や点検清掃作業が楽に行えて水回りの維持管理もし易くなっているほか、側壁部の配管工事は不要で、床面下での配管工事で済むため施工経費も安価ですむようになっている。
【００２２】
前記防水パン１の前記排水口１３  には、排水トラップ２を嵌め込んで、取付部材１６によつて取付け固定すればよく、また前記給水栓６は、筐体３の給水操作部８に設けられ、操作ハンドル６１  のある給水栓６、例えば止水弁或いは逆止弁付き水栓をソケットなどの水栓金具を介して配備してある。
この場合、前記操作ハンドル６１  は、給水操作部８の外側面或いは前面に前記露出配備して外側から操作しやすくするのがよいし、この給水口にソケットを嵌め込み給水栓６を取り付ければよく、給水栓６の蛇口の向きもソケットによって自由に選定固定でき、しかも操作ハンドル６１  床面より上方に位置して給水栓６の開閉操作がし易くなっていると共に、接続管の連結も容易に行えるようになっている。
【００２３】
また、防水パン１としては、その周囲にフランジを突設し、傾斜した防水側壁１２  と、該防水側壁１２  に水平方向に連なる平坦状の底板１１  とから凹部を形成したトレイ状のパンからなっていて、底板１１  に形成した排水口１３  に取付部材１６によって排水トラップ２を着脱自在に配備して配管設備施工の簡便化を図るのがよい。
【００２４】
さらに、前記排水口１３  には、排水回りの安全性を高めるため、図４に示すように、排水トラップ２が目皿１３のあるホースジョイント１４と、該ホースジョイント１４を内装するトラップ取付部材１６に嵌挿されるガイドパイプ１７と、該ガイドパイプ１７の外周に間隔をあけて封水筒１８と、封水カップ２０とをトラップハウジング２１に配備した組立て容易な構成のものを用いてある。
【００２５】
なお、前記防水パン１には、前記床板１１  下或いは床面Ｃ下に配管される給水、排水の配管設備を維持管理するための点検口（図示せず）を必要に応じて床板１１  に設けて、水回りの施工、修理点検管理をさらに容易にする構成とすることもできるし、カバーを兼ねる台座２４を付設して用いることもできる。
また、防水パン１としては、抗菌入りのＡＢＳ樹脂  ＰＰ樹脂、再生ポリエチレン樹脂などの合成樹脂或いは抗菌入りの樹脂で、射出成形或いは直圧プレスによって一体成形される。
【００２６】
前記給水設備としては、床板面位置に排水口と給水口とを防水パンの設置状況に合わせて選択配備できるように構成するが、図５及び図６の実施例では、前記筐体４の上部後方位置に前記給水栓６を備える給水操作部８が設けるのに、筐体本体の上位角部の一部、例えば片側あるいは両側を切欠した形態とした空間領域８１  を形成して、給水操作部８の外側面に前記給水栓６の操作ハンドル６１  が露出配備され、上方から前記給水栓６の操作ハンドル６１  が操作できる給水操作部８が設けられた例で、室内の機器設備の機器Ａ或いは室内壁に隙間なく前記筐体３を並列配備した場合に、室内壁や隣接される機器Ａ類が障害にならないように有効に用いられ、洗濯などの給水作業での給水栓の開閉作業の操作も簡単であり、しかも必要な水回りの配管作業の工事施工も容易に用いられるし、作業者によるバラツキのない均一な作業内容で取付け配管工事を行うことができる。
【００２７】
本発明の実施例では、防水パンに給水、排水設備を備えて取扱い上の便宜さを図り、しかも給水栓が洗濯機等の邪魔になることもなく、洗濯機を壁面より離して設置しなければならないこともなく室内空間を有効に使用できるほか、給水設備、排水設備が防水パンに有るため、防水パン外への水の飛散や漏水のおそれもなく安全な使用が可能で水漏れ事故になることもないし、洗濯などの給水作業での給水栓の開閉作業の操作も簡単であり、必要な水回りの配管作業の工事施工も容易であると共に、側壁部の配管工事は不要で、床面下での配管工事で済むため施工経費も安価ですむし、作業管理維持も容易であって洗濯効率のアップも図られる洗濯機用防水パンなどの防水パンを体裁良好で、安価な形態で提供することができる。
【図面の簡単な説明】
【００２８】
【図１】本発明に係る洗濯機用防水パンの一実施例を示し、（ａ）はその一部切断正面図、（ｂ）はｂ−ｂ線における縦断面図、（ｃ）はｃ−ｃ線における縦断面図である。
【図２】図１の例の防水パンユニットを示す斜視図である。
【図３】図１の例で用いられる防水パンの分離状態を示す斜視図である。
【図４】図３の例の防水パンの組み込み拡大断面図を示し、（ａ）はａ−ａ線における縦断面図、（ｂ）はｄ−ｄ線における縦断面図である。
【図５】本発明に係る他の実施例の防水パンユニットを示す斜視図である。
【図６】図５の例の防水パンユニットの使用状態を示す一部切断正面図である。
【符号の説明】
【００２９】
Ａ    洗濯等の機器
Ｂ    排水管
Ｃ    床面
１    防水パン
１１    床板
１２    防水側壁
１３    排水口
２    排水トラップ  
２１    貯水部
３    排水ホース
４    筐体
４１    天板  
４２    底板
４３    周壁板    
５    扉
５１    ヒンジ
６    給水栓      
６１    操作ハンドル
７    給水ホース
８    給水操作部
８１    空間領域    
９    コンセント
１０    カバー体
１１    開孔    
１２    窪み凹部
１３    目皿  
１４    ホースジョイント
１６    取付け部材
１７    ガイドパイプ
１８    封水筒
１９    オーバーフロー孔  
２０    封水カップ
２１    トラップハウジング
２２    棚受け部
２３    棚板
【図１】
2005171630.tif 000003
【図２】
2005171630.tif 000004
【図３】
2005171630.tif 000005
【図４】
2005171630.tif 000006
【図５】
2005171630.tif 000007
【図６】
2005171630.tif 000008